(57)【要約】      （修正有）【課題】スイングプラグを提供する。【解決手段】本体１と、導電端子組２とを備える。本体が雄ベース部と、雌ベース部１２とを有し、雄ベース部と、雌ベース部と枢接を形成していて、かつ、雌ベース部に少なくとも一組の電気差し込み孔と、少なくとも一つの接地差し込み孔１２５と、電気差し込み孔の側面に位置する一つの接地接続孔１２６とを有する。導電端子組を本体に内設し、一組の突合せ接続端子２１と、一組の差し込み端子２２と、少なくとも一つの接地端子２３とを有し、突合せ接続端子が差し込み端子と電気接続を形成していて、かつ、突合せ接続端子が雄ベース部より延在され、差し込み端子が雌ベース部の電気差し込み孔に対向して設け、接地端子が接触部と、接地部とを有し、接触部を本体に内蔵していて、かつ、接地差し込み孔に対向しており、接地部が接地接続孔に対向していて、利用者はスイングプラグに提供された接地リード線によって、接地機能を有する。【選択図】図５
0003222774.tif 000002
【実用新案登録請求の範囲】
【請求項１】
本体と、導電端子組とを備え、
前記本体が雄ベース部と、雌ベース部とを有し、前記雄ベース部と、前記雌ベース部と枢接を形成していて、かつ、前記雌ベース部に少なくとも一組の電気差し込み孔と、少なくとも一つの接地差し込み孔と、前記電気差し込み孔の側面に位置する一つの接地接続孔とを含む、
前記導電端子組を前記本体に内設し、一組の突合せ接続端子と、一組の差し込み端子と、少なくとも一つの接地端子とを含む、前記突合せ接続端子が前記差し込み端子と電気接続を形成していて、かつ、前記突合せ接続端子が前記雄ベース部より延在され、前記差し込み端子が前記雌ベース部の前記電気差し込み孔に対向して設け、前記接地端子が接触部と、接地部とを有し、前記接触部が前記本体に内蔵していて、かつ、前記接地差し込み孔に対向しており、前記接地部が接地接続孔に対向することを特徴とする、スイングプラグ。
【請求項２】
前記接地端子の前記接地部に固定孔を設けられ、導電性を帯びる固定素子を用いて、接地リード線に接続し、前記固定素子が接地接続孔を貫いて前記固定孔に接続することを特徴とする、請求項１記載のスイングプラグ。
【請求項３】
前記本体の雌ベース部が嵌め合わせる上部ハウジングと、下部ハウジングを有し、前記本体が前記上部ハウジングと、前記下部ハウジングとの間に前記差し込み端子を固定するための端子固定台を設けていて、かつ、前記端子固定台に取り付け孔を設けており、前記接地端子の接触部の側面に係止部を設け、前記接地端子の前記接地部を取り付け孔に貫いて、係止部を端子固定台に係りとめて固定を形成することを特徴とする、請求項１記載のスイングプラグ。
【考案の詳細な説明】
【技術分野】
【０００１】
本考案はスイングプラグに関し、特に利用者自らで接地可能なスイングプラグに関する。
【背景技術】
【０００２】
スイングプラグは利用者の電気製品に複数の差し込み孔を提供するものである。
【考案の概要】
【考案が解決しようとする課題】
【０００３】
プラグを電源側に接続したとき、かかる電源側に接地機能がない場合、係るスイングプラグを接地差し込み孔が設けていても、接地機能が提供されない。よって、電気製品が短絡したとき、利用者の安全に影響する恐れがある。さらに、古い建造物には接地装置が取り付けておらず、利用者による電気製品使用の安全が保障されない。
【課題を解決するための手段】
【０００４】
本考案の主な目的は、スイングプラグに接地端子を設けることによって、利用者がスイングプラグを接地リード線に接続して、接地機能を持たせて、利用者に電気製品使用の安全が保障される。
【０００５】
前述目的を達成するため、本考案は本体と、導電端子組とを備える。本体が雄ベース部と、雌ベース部とを有し、雄ベース部と、雌ベース部と枢接を形成していて、かつ、雌ベース部に少なくとも一組の電気差し込み孔と、少なくとも一つの接地差し込み孔位と、電気差し込み孔の側面に位置する一つの接地接続孔とを有する。導電端子組を本体に内設し、一組の突合せ接続端子と、一組の差し込み端子と、少なくとも一つの接地端子とを有し、突合せ接続端子が差し込み端子と電気接続を形成していて、かつ、突合せ接続端子が雄ベース部より延在され、差し込み端子が雌ベース部の電気差し込み孔に対向して設け、接地端子が接触部と、接地部とを有し、接触部が本体に内蔵していて、かつ、接地差し込み孔に対向しており、接地部が接地接続孔に対向する。
【０００６】
前述スイングプラグに設ける接地端子の接地部に固定孔を設けられ、導電性の固定素子を用いて、接地リード線に接続し、固定素子が接地接続孔を貫いて固定孔に接続する。
【０００７】
前述スイングプラグにおいて、本体の雌ベース部が嵌めあわせの上部ハウジングと、下部ハウジングを有し、本体は上部ハウジングと、下部ハウジングとの間に、差し込み端子を固定するための端子固定台を設けていて、かつ、端子固定台に取り付け孔を設け、接地端子の接触部の側面に係止部を設け、接地端子の接地部が取り付け孔を貫いて、係止部を端子固定台に係り止めて固定を形成する。
【図面の簡単な説明】
【０００８】
【図１】本考案の立体外観図である。
【図２】本考案の本体と、固定素子の立体分解図である。
【図３】本考案の雄ベース部の回転態様の外観図である。
【図４】本考案の雄ベース部の回転態様もう一つ視角の立体外観図である。
【図５】本考案の立体分解図である。
【考案を実施するための形態】
【実施例】
【０００９】
図１ないし図５を参照する。図からよく分かるように、本考案は、本体１と、導電端子組２とを備える。そのうち、
【００１０】
本体１に雄ベース部１１と、雌ベース部１２と、端子固定台１３とを設ける。雌ベース部１２は、上部ハウジング１２１と、下部ハウジング１２２とを嵌めあわせて組み合わされる。さらに、雌ベース部１２の一端に収容空間１２３を凹設し、雌ベース部１２に少なくとも一組の電気差し込み孔１２４と、少なくとも一つの接地差し込み孔１２５と、電気差し込み孔１２４の側面に位置する一つの接地接続孔１２６とを有する。雄ベース部１１を雌ベース部１２の収容空間１２３に内蔵し、端子固定台１３が本体１３１を有し、本体１３１の下方に隔離部１３２を延在され、本体１３１の一側に取り付け孔１３３を設け、端子固定台１３が雌ベース部１２の上部ハウジング１２１と、下部ハウジング１２２との間に位置する。
【００１１】
係る導電端子組２に一組の突合せ接続端子２１と、一組の差し込み端子２２と、少なくとも一つの接地端子２３とを設ける。突合せ接続端子２１の両側に突合せ接続部２１１と、接続部２１２を有し、突合せ接続部２１１が雄ベース部１１の側面に固定していて、かつ、雄ベース部１１より延在して、外部電源と接続する。差し込み端子２２が雌ベース部１２に内設しており、枢接部２２１と、枢接部２２１の側面より延在された挿接部２２２とを有し、枢接部２２１を突合せ接続端子２１の接続部２１２に枢接することによって、雄ベース部１１が雌ベース部１２に対して枢転することができ、挿接部２２２が端子固定台１３の本体１３１下方に位置していて、かつ、挿接部２２２が隔離部１３２の仕切りによって、電気差し込み孔１２４に対向され、接地端子２３の両側に、接触部２３１と、接地部２３２とを形成し、接触部２３１の側面に係止部２３４を設け、接地端子２３の接地部２３２が取り付け孔１３３を貫いて、係止部２３４を端子固定台１３に係りとめて固定を形成して、接触部２３１が接地差し込み孔１２５に対向し、接地部２３２が接地接続孔１２６に対向し、接地部２３２に固定孔２３３を設けられている。
【００１２】
本考案を適用するときに、接地リード線（図示されない）を導電性の固定素子３に接続した上、固定素子を接地接続孔１２６に貫いて、固定孔２３３に接続する。これにより、プラグ（図示されない）を電気差し込み孔１２４と、接地差し込み孔１２５に差し込み、差し込み端子２２によって外部電源を獲得して、接地端子２３によって接地効果を達成する。
【符号の説明】
【００１３】
１    本体
１１    雄ベース部
１２    雌ベース部
１２１    上部ハウジング
１２２    下部ハウジング
１２３    収容空間
１２４    電気差し込み孔
１２５    接地差し込み孔
１２６    接地接続孔
１３    端子固定台
１３１    本体
１３２    仕切り部
１３３    取り付け孔
２    導電端子組
２１    突合せ接続端子
２１１    突合せ接続部
２１２    接続部
２２    差し込み端子
２２１    枢接部
２２２    挿接部
２３    接地端子
２３１    接触部
２３２    接地部
２３３    固定孔
２３４    係止部
３    固定素子
【図１】
0003222774.tif 000003
【図２】
0003222774.tif 000004
【図３】
0003222774.tif 000005
【図４】
0003222774.tif 000006
【図５】
0003222774.tif 000007